(57)【要約】【課題】閉じた状態のドアを正逆二方向へ開く形式のドア開閉装置において、閉じた状態で保持されているドアを正逆いずれの方向へもスプリングの付勢力により開くことを可能とする。【解決手段】収納ボックスのドア開閉装置であって、一対のロック機構４０，１４０における個々の切換部材が第一位置にあるとき、一対の駆動機構２０，１２０による正逆二方向へのドア１６の移動を方向別に規制して該ドア１６を閉じた状態で位置決めをしている。この位置決め状態においても、例えばロック機構４０の切換部材を第一位置から第二位置に作動させることにより、ドア１６は他方のロック機構１４０により規制されている方向とは逆方向へ支障なく移動することが可能である。【選択図】図４
2018079725.tif 000002
【特許請求の範囲】
【請求項１】
収納ボックスの開口部を開閉するためのドア開閉装置であって、
ドアを閉じた状態から正逆二方向へ開くために、互いに逆方向へドアを移動させることが可能な一対の駆動機構と、両駆動機構による二方向へのドアの移動を方向別に規制して該ドアを閉じた状態で位置決めしている一対のロック機構とを備え、
一対の駆動機構は、ドアと一体もしくは一体的に設けられたドアブラケットと、ドアの開閉方向へ往復移動が可能な可動部材と、この可動部材をドアが開く方向へ移動させるように付勢力を発揮するスプリングとをそれぞれ備え、
一対のロック機構は、個々に対応する駆動機構の可動部材に対して第一位置および第二位置への作動が可能に支持された切換部材と、切換部材に設けられ、該切換部材が第一位置にあるときにはスプリングの付勢力による可動部材の移動を、ドアの閉じた状態と対応する位置においてロックし、切換部材が第二位置にあるときには可動部材のロックを解除するとともに、可動部材とドアブラケットとを結合状態に保持するロックピンと、切換部材を第一位置から第二位置に作動させる操作が可能な操作部材とをそれぞれ備えているドア開閉装置。
【請求項２】
請求項１に記載されたドア開閉装置であって、
一対のロック機構において、個々の切換部材が第一位置に作動しており、それぞれのロックピンが対応する駆動機構のスプリングの付勢力による可動部材の移動をロックしている状態では、該ロックピンは可動部材の移動方向とは逆方向へのドアブラケットの移動を許容する位置に配置されているドア開閉装置。
【発明の詳細な説明】
【技術分野】
【０００１】
本発明は、車両用コンソールボックスのような収納ボックスのドア開閉装置に関する。詳しくは、収納ボックスのドアを閉じた状態から正逆二方向へ開くことができるドア開閉装置に関する。
【背景技術】
【０００２】
例えば特許文献１には、コンソールボックスの開口部をスライド式のドアによって開閉する技術が開示されている。この技術では、ドアの端部に設けられたロック爪をコンソールボックスの開口端部に設けられた窪みに係合させることで、ドアが閉じた状態にロックされており、ロック爪を窪みから外すことによってドアを開くことができる。
【先行技術文献】
【特許文献】
【０００３】
【特許文献１】特開２００２−０８７１６７号公報
【発明の概要】
【発明が解決しようとする課題】
【０００４】
特許文献１に開示されている技術において、ロック爪と窪みとの係合によるロックを解除することにより、定荷重スプリング等の付勢力を利用してドアを閉じた状態から一方向へ開くことは可能である。しかしながら、ドアを閉じた状態の所定位置から前後方向等の正逆二方向へ開く形式では、スプリングの付勢力によってドアを開くことは成立し得ない。なぜなら、ドアを閉じた状態から二方向へ開く場合、両方向へのドアの移動を方向別に規制する一対のロック機構が存在することとなり、一方のロック機構を解除しても他方のロック機構による規制でドアが移動しないためである。
【０００５】
本発明は、このような課題を解決しようとするもので、その目的は、閉じた状態のドアを正逆二方向へ開く形式のドア開閉装置において、閉じた状態で保持されているドアを正逆いずれの方向へもスプリングの付勢力により開くことを可能とすることである。
【課題を解決するための手段】
【０００６】
本発明は、上記の目的を達成するためのもので、以下のように構成されている。
【０００７】
収納ボックスの開口部を開閉するためのドア開閉装置であって、ドアを閉じた状態から正逆二方向へ開くために、互いに逆方向へドアを移動させることが可能な一対の駆動機構と、両駆動機構による二方向へのドアの移動を方向別に規制して該ドアを閉じた状態で位置決めしている一対のロック機構とを備えている。一対の駆動機構は、ドアと一体もしくは一体的に設けられたドアブラケットと、ドアの開閉方向へ往復移動が可能な可動部材と、この可動部材をドアが開く方向へ移動させるように付勢力を発揮するスプリングとをそれぞれ備えている。一対のロック機構は、個々に対応する駆動機構の可動部材に対して第一位置および第二位置への作動が可能に支持された切換部材と、切換部材に設けられ、該切換部材が第一位置にあるときにはスプリングの付勢力による可動部材の移動を、ドアの閉じた状態と対応する位置においてロックし、切換部材が第二位置にあるときには可動部材のロックを解除するとともに、可動部材とドアブラケットとを結合状態に保持するロックピンと、切換部材を第一位置から第二位置に作動させる操作が可能な操作部材とをそれぞれ備えている。
【０００８】
より好ましくは、一対のロック機構において、個々の切換部材が第一位置に作動しており、それぞれのロックピンが対応する駆動機構のスプリングの付勢力による可動部材の移動をロックしている状態では、該ロックピンは可動部材の移動方向とは逆方向へのドアブラケットの移動を許容する位置に配置されていることである。
【発明の効果】
【０００９】
本発明においては、一対のロック機構における個々の切換部材が第一位置にあるとき、両駆動機構による正逆二方向へのドアの移動を方向別に規制して該ドアを閉じた状態で位置決めをしている。つまり、この位置決め状態においても、いずれか一方のロック機構の切換部材を第一位置から第二位置に作動させることにより、ドアは他方のロック機構により規制されている方向とは逆方向へ支障なく移動することが可能である。この結果、閉じた状態で定位置に保持されているドアを、正逆いずれの方向へもスプリングの付勢力を利用して開くことができる。
【００１０】
また、一対のロック機構における個々のロックピンの位置を、駆動機構のスプリングの付勢力による可動部材の移動をロックしている状態で、可動部材の移動方向とは逆方向へのドアブラケットの移動を許容する配置としたことにより、いずれかのロック機構によるドアの規制を解除して該ドアを開く操作がより正確に行われる。
【図面の簡単な説明】
【００１１】
【図１】ドアを閉じた状態のドア開閉装置を表した斜視図。
【図２】ドアを後方へ開いた状態のドア開閉装置を表した斜視図。
【図３】ドアを前方へ開いた状態のドア開閉装置を表した斜視図。
【図４】ドア開閉装置の主要構成部材を分解して表した斜視図。
【図５】ドアを後方へ開くためのドア開閉装置を表した斜視図。
【図６】図５の一部を拡大して表した斜視図。
【図７】図６の裏側を表した斜視図。
【図８】図７の正面視においてロック機構のロック状態を表した説明図。
【図９】図７の正面視においてロック機構のロック解除状態を表した説明図。
【図１０】ドアを前方へ開くためのドア開閉装置を表した斜視図。
【図１１】図１０の一部を拡大して表した斜視図。
【図１２】図１１を後方から視た斜視図。
【図１３】図１２の正面視においてロック機構のロック状態を表した説明図。
【図１４】図１２の正面視においてロック機構のロック解除状態を表した説明図。
【発明を実施するための形態】
【００１２】
以下、本発明を実施するための形態を、図面を用いて説明する。図１〜３で示す収納ボックス１０は、車両用のコンソールボックスであって、その上面の開口部１２がスライド式のドア１６によって開閉されるようになっている。ドア１６は、収納ボックス１０の上面形状に倣って変形可能なフレキシブル構造になっている。一方、収納ボックス１０は、開口部１２の左右両縁を含む両サイドにおいて前後方向へ連続するドアレール１４をそれぞれ備えている。ドア１６が、両ドアレール１４に案内されて変形しながらスライドすることにより、開口部１２を開閉することができる。特に、この実施の形態のドア開閉装置においては、ドア１６を図１で示す閉じ状態から正逆二方向（前後二方向）へスライドさせることにより、開口部１２を図２あるいは図３で示す二つの状態に開くことができる。
【００１３】
ドア開閉装置は、閉じた状態のドア１６を互いに逆方向へスライド（移動）させることが可能な一対の駆動機構２０，１２０と、両駆動機構２０，１２０によるドア１６の移動を方向別に規制してドア１６を閉じた状態で位置決めする一対のロック機構４０，１４０とを備えている。両駆動機構２０，１２０および両ロック機構４０，１４０は、収納ボックス１０の片側（右側）において所定の間隔をもって垂直に配置された個々のベース２２，１２２にそれぞれ組付けられている。また、ドア１６は、ベース２２，１２２が配置されている側の側縁において前後方向に所定間隔をもって結合されたドアブラケット３６，１３６を備えている（図４）。これらのドアブラケット３６，１３６は、後述のように両駆動機構２０，１２０の構成要素として個別に機能する。
【００１４】
図４からも明らかなように、両駆動機構２０，１２０は、ベース２２，１２２に対して移動可能に組付けられた可動部材３０，１３０と、それぞれの可動部材３０，１３０を互いに逆方向へ移動させるように付勢力を発揮するスプリング３４，１３４とを主体として構成されている。なお、スプリング３４，１３４には、個々のドラム３５，１３５から引き出された後、常に一定の力で巻き戻される定荷重スプリング（商品名「コンストンばね」）が使用される。このように一定荷重で巻き戻されるときのスプリング３４，１３４の付勢力を利用することで、可動部材３０，１３０を移動させる。
【００１５】
つづいて、両駆動機構２０，１２０および両ロック機構４０，１４０の構成を具体的に説明する。まず、ドア１６を図１で示す閉じ状態から図２で示すように後方へ開くための駆動機構２０においては、ベース２２の表面に、その上下二箇所において前後方向へ延びるレール２４がそれぞれ設けられている（図４，５）。また、ベース２２には、その上部において表裏に貫通し、かつ両レール２４と平行して前後方向へ延びるガイド孔２６が設けられている。駆動機構２０の可動部材３０は、上下方向に長い板形状であり、その裏面の上下二箇所に固定されたスライダー３２が両レール２４に個別に支持されている。これにより、可動部材３０は、両レール２４に案内されてドア１６の開閉方向（前後方向）へ往復移動可能である。ベース２２と可動部材３０との間に設けられているスプリング３４は、該可動部材３０を前方位置から後方へ移動させるように付勢力を発揮する。
【００１６】
一方、ドア１６を図１で示す閉じ状態から図３で示すように前方へ開くための駆動機構１２０におけるベース１２２、上下一対のレール１２４、ガイド孔１２６、可動部材１３０およびそのスライダー１３２の構成については、駆動機構２０のベース２２、レール２４、ガイド孔２６、可動部材３０およびそのスライダー３２とほぼ同一構成である（図１０〜１２）。したがって、これらの構成に関して重複する説明は省略する。ただし、ベース１２２と可動部材１３０との間に設けられているスプリング１３４は、駆動機構２０の場合とは異なり、可動部材１３０を後方位置から前方へ移動させるように付勢力を発揮する。
【００１７】
駆動機構２０に対応するロック機構４０は、図６〜９から明らかなように駆動機構２０の可動部材３０に対して連結軸４４の軸心を支点とする回転が可能に支持された切換部材４２を備えている。この切換部材４２は、ベース２２の表裏両面側に配置された一対のアーム状部材から構成されており、これらの一端部はガイド孔２６に挿通させた連結軸４４で互いに結合され、他端部は同じくガイド孔２６に挿通させたロックピン４８で互いに結合されている（図６，７）。すなわち、連結軸４４は可動部材３０に対して切換部材４２の一端部を回転自在に支持するとともにガイド孔２６に挿通させており、ロックピン４８は切換部材４２の他端部においてガイド孔２６に挿通させている。
【００１８】
ベース２２の裏面側と切換部材４２を構成する一方のアーム状部材との間で、かつ連結軸４４とロックピン４８との間には、前述のように駆動機構２０の構成要素をなすドアブラケット３６が位置している。このドアブラケット３６におけるロックピン４８と対向する側の縁部は、該ロックピン４８と係合可能な係合部３７となっている。なお、このドアブラケット３６は、ドア１６と共に開閉方向へ移動するものであり、ドア１６の一部と一体に成形することも可能である。
【００１９】
切換部材４２に対しては、所定のスプリング（図示省略）により連結軸４４の軸心を支点として図８，９の時計回り方向、つまりロックピン４８を押し下げる回転方向の付勢力が働いている。そして、ドア１６が図１で示す閉じ状態にあるときの可動部材３０は、ベース２２の前方側に位置している。このとき、可動部材３０に支持されている切換部材４２はガイド孔２６の前方端側に位置しており、ロックピン４８はガイド孔２６の前端部に連続して下方へ折れ曲がったロック部２７に入っている（図８）。このため、可動部材３０は前述したスプリング３４の付勢力を受けているにもかかわらず、ロック部２７に位置するロックピン４８により切換部材４２を通じてベース２２の前方位置（ドア１６を閉じた位置）に保持されている。
【００２０】
図６〜８で示す状態での切換部材４２は、前述したスプリングの付勢力を受けて「第一位置」にあり、スプリング３４の付勢力による可動部材３０の移動がロックピン４８によってロックされている。これに対して図９で示すように切換部材４２が連結軸４４の軸心まわりに回転して「第二位置」に作動した状態では、ロックピン４８がガイド孔２６のロック部２７から外れ、可動部材３０の移動に対するロックが解除される。また、このロック解除と同時にロックピン４８がドアブラケット３６の係合部３７に係合する（図９）。これにより、ロックピン４８は切換部材４２を通じて可動部材３０とドアブラケット３６（ドア１６）とを結合状態に保持する。
【００２１】
駆動機構１２０に対応するロック機構１４０において、切換部材１４２、連結軸１４４、ロックピン１４８およびドアブラケット１３６の係合部１３７の構成については、ロック機構４０の切換部材４２、連結軸４４、ロックピン４８とほぼ同一である（図１０〜１４）。したがって、これらの構成に関して重複する説明は省略する。ただし、ロック機構１４０においては、ドア１６が図１で示す閉じ状態にあるときの可動部材１３０がベース１２２の後方側に位置している。このため、切換部材１４２はガイド孔１２６の後方端側に位置しており、ロックピン１４８はガイド孔１２６の後端部に連続して下方へ折れ曲がったロック部１２７に入っている（図１３）。
【００２２】
つぎに、ロック機構４０の切換部材４２を「第一位置」から「第二位置」に作動させるための機構について説明すると、ベース２２の裏面側におけるロックピン４８の下方位置には、操作部材５０が位置している。この操作部材５０は、ベース２２に対して支持軸５２によって回転可能に支持されているとともに、その斜面５１が常にロックピン４８に干渉している（図８，９）。そこで、操作部材５０が図７，８で示す位置から図９で示す位置まで支持軸５２の軸心まわりに回転すると、操作部材５０の斜面５１によってロックピン４８が押し上げられ、切換部材４２が前述の付勢力に抗して「第二位置」に作動する。
【００２３】
ロック機構１４０の切換部材１４２を図１３で示す「第一位置」から図１４で示す「第二位置」に作動させるための操作部材１５０、その斜面１５１および支持軸１５２については、前述の切換部材４２を作動させるための操作部材５０、斜面５１および支持軸５２
とほぼ同一である（図１２〜１４）。したがって、これらに関して重複する説明は省略する。
【００２４】
図１〜５および図１０で示されている二個一組の操作ボタン５８，１５８は、操作部材５０，１５０を回転操作するためのもので、それぞれの操作ボタン５８，１５８が選択的に押されると、それに連動して対応するケーブル５６，１５６が個別に引っ張られる。一方のケーブル５６の端部は図６および図８に示されているピン５４に結合され、他方のケーブル１５６の端部は図１１および図１３に示されているピン１５４に結合されている。これらのピン５４，１５４は、それぞれのケーブル５６，１５６が引っ張られることによって図９あるいは図１４で示す位置に作動し、これに連動して操作部材５０，１５０が回転操作される。
【００２５】
以上のように構成されたドア開閉装置において、スライド式のドア１６が図１で示す閉じ状態にあるとき、前述した両ロック機構４０，１４０の切換部材４２，１４２は所定の付勢力を受けて共に「第一位置」に保持されている。この状態では、ロックピン４８，１４８がガイド孔２６，１２６のロック部２７，１２７に入り込んでいるため（図８，１３）、駆動機構２０，１２０における可動部材３０，１３０の移動がロックされている。そして、ドアブラケット３６，１３６は、可動部材３０，１３０と切換部材４２，１４２とを結合している連結軸４４，１４４に干渉していることから、ドア１６は閉じた状態で位置決めされている。すなわち、個々の駆動機構２０，１２０による前後二方向へのドア１６の移動は、両ロック機構４０，１４０により方向別に規制されている。
【００２６】
ドア１６を開く操作について説明する。まず、図２で示すようにドア１６を後方へ開くには、操作ボタン５８を押すことで引っ張られるケーブル５６に連動して操作部材５０が支持軸５２の軸心まわりに図９で示す位置に回転する。これにより、ロック機構４０の切換部材４２が前述した「第一位置」から「第二位置」に作動し、ロックピン４８がガイド孔２６のロック部２７から外れて駆動機構２０における可動部材３０のロックが解除されるとともに、ロックピン４８がドアブラケット３６の係合部３７に係合する。この結果、駆動機構２０の可動部材３０は、ドアブラケット３６（ドア１６）と結合された状態で、スプリング３４の付勢力によって前方位置から後方へ移動し、ドア１６が図２のように開放される。
【００２７】
このように、駆動機構２０の可動部材３０が前方位置から後方へ移動してドア１６を開くとき、他方の駆動機構１２０およびロック機構１４０が可動部材３０の移動を妨げることはない。つまり、ドア１６は、一方のロック機構４０のロックが解除されれば、他方のロック機構１４０によって規制されている前方とは逆の後方へは支障なく移動でき、駆動機構２０によって開放される。
【００２８】
また、ドア１６を図３で示すように前方へ開く場合は、操作ボタン１５８を押すことで引っ張られるケーブル１５６に連動して操作部材１５０が支持軸１５２の軸心まわりに図１４で示す位置に回転する。これにより、ロック機構１４０の切換部材１４２およびロックピン１４８が、ロック機構４０の切換部材４２およびロックピン４８と同様に機能する。すなわち、駆動機構１２０における可動部材１３０のロックが解除されるとともに、可動部材１３０とドアブラケット１３６（ドア１６）とが結合される。この結果、駆動機構１２０の可動部材１３０がスプリング１３４の付勢力によって後方位置から前方へドア１６と共に移動し、ドア１６が図３のように開放される。この場合においても、駆動機構１２０の可動部材１３０が後方位置から前方へ移動してドア１６を開くとき、他方の駆動機構２０およびロック機構４０が可動部材１３０の移動を妨げることはない。
【００２９】
以上は本発明を実施するための最良の形態を図面に関連して説明したが、この実施の形態は本発明の趣旨から逸脱しない範囲で容易に変更または変形できるものである。例えば収納ボックス１０は、コンソールボックスに限るものではなく、グローブボックスやその他の小物入れも対象になる。また、ドア１６の開閉方向については、前後二方向に限らず左右あるいは上下の正逆二方向へ開く場合も含まれる。
【符号の説明】
【００３０】
１０   収納ボックス
１２   開口部
１６   ドア
２０，１２０  駆動機構
３０，１３０  可動部材
３４，１３４  スプリング
３６，１３６  ドアブラケット
４０，１４０  ロック機構
４２，１４２  切換部材
４８，１４８  ロックピン
５０，１５０  操作部材
【図１】
2018079725.tif 000003
【図２】
2018079725.tif 000004
【図３】
2018079725.tif 000005
【図４】
2018079725.tif 000006
【図５】
2018079725.tif 000007
【図６】
2018079725.tif 000008
【図７】
2018079725.tif 000009
【図８】
2018079725.tif 000010
【図９】
2018079725.tif 000011
【図１０】
2018079725.tif 000012
【図１１】
2018079725.tif 000013
【図１２】
2018079725.tif 000014
【図１３】
2018079725.tif 000015
【図１４】
2018079725.tif 000016